(57)【要約】本発明は、電気エネルギー蓄電要素（３）を備える電気エネルギー蓄電モジュール（１）及びその製造方法に関する。このモジュールは、電気エネルギー蓄電要素（３）を収容する、板金からなる平行六面体状のケーシング（２）と、平行六面体状のケーシング（２）の面の１つに取り付けられた正面部材（５０）に配置された少なくとも１つの電子基板（４）と、を備える。電気エネルギー蓄電要素（３）は、電気エネルギー蓄電要素（３）の両端に位置し、その高さの一部のみにわたって延在する２つの樹脂層（７）によって、ケーシング（２）内の所定位置に保持及び固定される。【選択図】    図２
2019501477.tif 000002
【特許請求の範囲】
【請求項１】
電気エネルギー蓄電要素（３）を備える電気エネルギー蓄電モジュール（１）であって、
５つの面を有する蓋部（２１）と、該蓋部（２１）と組み立てられる底部（２２）とを含み、前記電気エネルギー蓄電要素（３）を収容する、板金からなる平行六面体状のケーシング（２）と、
前記平行六面体状のケーシング（２）の面の１つに取り付けられた正面部材（５０）に配置された少なくとも１つの電子基板（４）と、を備え、
前記電気エネルギー蓄電要素（３）は、前記底部（２２）から前記電気エネルギー蓄電要素（３）の高さの一部のみにわたって延在する第１の樹脂層（７）、及び、前記蓋部（２１）の面の１つから前記電気エネルギー蓄電要素（３）の高さの一部のみにわたって延在する第２の樹脂層（７）によって、前記ケーシング（２）内の所定位置に保持及び固定されたものであることを特徴とする電気エネルギー蓄電モジュール。
【請求項２】
樹脂を前記ケーシング（２）に注入するために前記ケーシング（２）に設けられた２つの開口部と、好ましくは前記２つの開口部用の閉栓プラグと、を備えることを特徴とする請求項１に記載の電気エネルギー蓄電モジュール。
【請求項３】
前記２つの開口部が、前記蓋部（２１）の前面（２１０）に形成され、前記２つの開口部のうち一方（２１８）が前記底部（２２）に近接して位置し、他方（２１９）が前記蓋部（２１）の上面（２１２）に近接して位置することを特徴とする請求項２に記載の電気エネルギー蓄電モジュール。
【請求項４】
前記２つの開口部のうち一方が、前記底部（２２）に形成され、他方が前記蓋部（２１）の上面（２１２）に形成されることを特徴とする請求項２に記載の電気エネルギー蓄電モジュール。
【請求項５】
前記ケーシング（２）が、液密かつ防塵性であることを特徴とする請求項１乃至４のいずれか一項に記載の電気エネルギー蓄電モジュール。
【請求項６】
前記ケーシング（２）が、厚さ５ｍｍ以下の板金からなることを特徴とする請求項１乃至５のいずれか一項に記載の電気エネルギー蓄電モジュール。
【請求項７】
前記底部（２２）及び前記蓋部（２１）の間に配置され、かつ、前記底部（２２）及び前記蓋部（２１）に対して垂直な、好ましくは中央に位置する、スペーサを形成する芯部（２１５）を備えることを特徴とする請求項１乃至６のいずれか一項に記載の電気エネルギー蓄電モジュール。
【請求項８】
前記樹脂層（７）が、前記電気エネルギー蓄電要素（３）の高さの５％〜２０％、好ましくは５％〜１２％にわたって延在することを特徴とする請求項１乃至７のいずれか一項に記載の電気エネルギー蓄電モジュール。
【請求項９】
前記ケーシング（２）の壁が、凹凸面（２１６、２１７）を含むことを特徴とする請求項１乃至８のいずれか一項に記載の電気エネルギー蓄電モジュール。
【請求項１０】
前記ケーシング（２）が、前記ケーシング（２）の少なくとも１つの面上に、好ましくは該面に溶接された、冷却フィンなどの複数の放熱要素（２２３）を含むことを特徴とする請求項１乃至９のいずれか一項に記載の電気エネルギー蓄電モジュール。
【請求項１１】
前記正面部材（５０）が、後部（５１）と前部（５２）とを含み、前記後部（５１）及び前記前部（５２）は、前記電子基板（４）を収容する筐体を形成するように組み立てられるための組立手段を有し、前記後部（５１）は、電気絶縁材料からなり、前記ケーシング（２）の面の１つへの取り付け手段を有し、前記前部（５２）は、導電性材料、特に金属からなることを特徴とする請求項１乃至１０のいずれか一項に記載の電気エネルギー蓄電モジュール。
【請求項１２】
前記電気エネルギー蓄電モジュールの正極及び負極を有する出力端子（３１）が通過可能な孔が前記正面部材（５０）を貫通していることを特徴とする請求項１乃至１１のいずれか一項に記載の電気エネルギー蓄電モジュール。
【請求項１３】
請求項１乃至１２のいずれか一項に記載の電気エネルギー蓄電モジュールを製造する方法であって、
接続部材（３０）を用いて前記電気エネルギー蓄電要素（３）を対にして組み立てる工程と、
電気配線を行い、絶縁体を設置して、絶縁された電力ブロック（３２）を形成する工程と、
前記電力ブロック（３２）を前記ケーシング（２）内に配置する工程と、
前記ケーシング（２）の前記底部（２２）及び前記蓋部（２１）を組み立てる工程と、
前記ケーシング（２）の第１の開口部から樹脂（７）を注入して前記第１の樹脂層（７）を形成する工程と、
前記樹脂の重合を待つ工程と、
前記電気エネルギー蓄電モジュール（１）を反転させる工程と、
前記ケーシング（２）の第２の開口部から樹脂（７）を注入して前記第２の樹脂層（７）を形成する工程と、
前記電子基板（４）を含む前記正面部材（５）を前記ケーシング（２）に取り付ける工程と、を備えることを特徴とする方法。
【発明の詳細な説明】
【技術分野】
【０００１】
本発明は、電気エネルギー蓄電モジュールの製造の一般的技術分野に位置する。このモジュールは、複数の電気エネルギー蓄電アセンブリを含む平行六面体状の外部ケーシングを備える。
【０００２】
本発明は、より正確には、設置型（例えば、建物内又はシェルター内のモジュールの使用など）及び移動型（例えば、トラム、バス、又は車などの陸上車両におけるのモジュールの使用）の両者を含む、あらゆる種類の用途のために設計されたモジュールに関する。そのため、このモジュールは、特に様々な構成に適応することができ、異なる用途に関連する異なる寸法に適応することができるように、多様な向きに配置可能でなければならない。
【０００３】
本発明は、このようなモジュールを製造する方法にも関する。
【背景技術】
【０００４】
「モジュール」とは、並べられ、一般に直列に電気的に接続された複数のエネルギー蓄電要素を含むアセンブリである。これにより、素電池よりも高い電圧に耐え、大きな蓄電容量を提供するエネルギー蓄電要素のアセンブリを単一のブロックとして提供することできる。
【０００５】
また、以下の説明及び特許請求の範囲において、「電気エネルギー蓄電アセンブリ」とは、キャパシタ（すなわち、２つの電極及び絶縁体を含む受動システム）やスーパーキャパシタ（すなわち、少なくとも２つの電極、電解質、及び少なくとも１つのセパレータを含むシステム）、特には、ハイブリッド型（すなわち、「ＥＤＬＣ」又は電気二重層キャパシタとして知られる電気化学二重層を有するキャパシタの電極と、リチウム電池型の電極を含むもの）やリチウム電池型の電池（すなわち、少なくとも１つのアノード、少なくとも１つのカソード、及びアノードとカソードとの間に位置する液体又は固体の電解質を含むシステム）を含む。
【０００６】
米国特許出願公開第２０１４／０２４２４３６号明細書から公知の電気エネルギー蓄電モジュールは、電気エネルギー蓄電アセンブリを収容する平行六面体状の外部ケーシングを含む。この外部ケーシングは、押出成形され、所望のモジュールの長さに応じて切断されたスリーブから構成される。このスリーブの両端は板でそれぞれ閉じられている。スリーブの壁部は、断面において、円筒状のエネルギー蓄電要素の外形の一部を象る円弧の部分として形成された多葉形状を有している。
【０００７】
しかしながら、このようなモジュールでは、最大で２つの重なったエネルギー蓄電要素の列を収容可能であるため、これらの要素はそれぞれスリーブの壁と接触し得る。
【０００８】
また、中央に位置する（例えば、この文献の図２に示されるように、横並びの３つの要素の列の中央、又は、縦並びの３つの要素の列の中央に位置する）エネルギー蓄電要素は、スリーブによって十分に保持されていない。したがって、このようなモジュールは、エネルギー蓄電要素が損傷を受けるリスクなしには、縁部を下にして置くことができない。実際に、これらが互いに重なり、短絡を引き起こす可能性がある。
【０００９】
また、スリーブは熱を逃がすための熱伝導体としての役割も果たす。したがって、中央に位置するエネルギー蓄電要素は、スリーブとの接触面積が小さいため、冷却されにくい。
【００１０】
このモジュールの変形例によると、熱を外部に伝達することができる充填材を加えることが可能である。この充填材は、外部ケーシングとエネルギー蓄電要素との間に存在する空間の一部又は全部を充填する。
【００１１】
しかしながらこの文献は、エネルギー蓄電要素が、それぞれの端部にのみ配置された２つの樹脂層によって定位置に保持された、本発明のモジュールについて全く記載していない。
【００１２】
欧州特許第２６３９８５３号明細書からも、電池を含むモジュールが知られている。このモジュールは、電池の端部を受ける空間を画定するための背の低い仕切り板が底部とカバーに設けられた、絶縁材料からなるケースを含む。
【００１３】
これらの空間の内面は発泡体層で被覆されている。この文献の図面に示されるように、発泡体層は、仕切り板上よりもモジュールの壁上でより高い高さを有する。これは、発泡体層が、モジュールを閉じた後ではなく、電池が所定の位置に設置される前に形成されたことを意味している。
【００１４】
これらの電池は、発泡体層を押すことで上からケースの空間に挿入され、その後、このアセンブリにカバーが取り付けられる。このようにして電池が所定位置に保持される。
【００１５】
しかしながら、この装置は、電池の製造公差のばらつきに適応することが容易ではなく、その目的のために設けられた空間に電池が入らないことや、逆に、電池が十分に保持されないことがある。
【００１６】
また、この文献では、電池によって生成された熱の排出の問題について全く考慮されていない。
【００１７】
欧州特許第２４０３０５０号明細書からは、複数のリチウム電気化学的発電器を含むケースを備える装置が知られている。このケースの内壁と発電器の外表面との間の空間は、電気絶縁性の難燃性硬質発泡体により充填されている。
【００１８】
この難燃性発泡体は優れた断熱性を達成するが、これは本発明によって求められる目的に反している。この文献では樹脂の使用は避けられる。
【００１９】
国際公開第ＷＯ２００２／０７７８２７号からは、蓄電要素が自立式であり、２つのレールと２つの端板の間に単に挿入されているエネルギー蓄電モジュールが知られている。
【００２０】
このような構造では「フラット」な、すなわち、モジュールのいずれの側面でもなく、底部が下に置かれる配置のみが許容される。
【００２１】
ケーシングがプラスチック材料で作られたモジュールも存在する。この種のモジュールでは、プラスチック製ケーシングは、特に耐候性部材として役立つが、電池の冷却ができない。また、ケーシングだけでは、電磁気電流に対する保護ができない。さらには、この種のケーシングを成形するのに必要な工具は高価である。
【００２２】
最後に、出願人が作成した添付の図１に示すようなモジュールが知られている。このようなモジュールＭは、少なくとも６０個程度のネジによって下壁ＰＩ、上壁ＰＳ、前壁ＡＶ、後壁ＡＲ、２つの長手方向側壁ＰＬ、及び内部仕切りを形成するように組み立てられる、１０個の押出成形部品から構成されるケーシングを備える。このモジュールは、前壁ＡＶ上に位置する２つの出力端子ＢＳを備え、これによりエネルギーが供給される装置への接続が可能になる。
【００２３】
特定の用途では、このモジュールＭは、非常に重く高価であり、組み立てられる部品やネジの量が多いため大量生産が困難であると考えられる。
【００２４】
さらに、使用される押出成形部品の寸法は、押出成形機の性能によって制限される。 大型モジュールの場合、押出部品の数が乗算される。
【００２５】
また、この電気エネルギー蓄電モジュールの内部の固定は、ゴム環型の可撓性部品によってのみ達成される。
【００２６】
このモジュールは、近年ではスーパーキャパシタ型のエネルギー蓄電要素を搭載しており、非常に良好に動作するが、「フラット」と呼ばれる配置方向（モジュールＭが下壁ＰＩを下にして載置される向き）以外で配置されるようには設計されていない。
【００２７】
このモジュールＭの他の使用配置方向、例えば、出力端子ＢＳが上向き（すなわち、モジュールが後壁ＡＲを下にして配置される）又は縁部を下にして配置される（すなわち、モジュールが側壁ＰＬのうちの一方を下にして配置される）場合、モジュール内のエネルギー蓄電要素の崩壊を引き起こすおそれがある。
【００２８】
これにより、モジュールの配置方向に関連付けられた新たな機械的制約の影響下で、出力端子ＢＳでのシーリングの損失や、内部電気絶縁システムの損傷による短絡が生じ得る。
【発明の概要】
【発明が解決しようとする課題】
【００２９】
本発明は、従来技術の上記の欠点を解消することを目的とする。
【００３０】
したがって、本発明の目的は、複数の電気エネルギー蓄電要素を収容する平行六面体状のケーシングを備える電気エネルギー蓄電モジュールであって、その６面のうち４面、すなわち下壁ＰＩ、後壁ＡＲ、及び２つの側壁ＰＬ、また場合によっては、出力端子ＢＳへのアクセスが困難にはなるが、前壁ＡＶで配置することができるモジュールを提供することである。
【００３１】
この目的は、従来技術の公知のモジュールより重くなく、製造コストが高くなく、製造が複雑でない、機械的耐性を有するモジュールを提供しながら達成されなければならない。
【００３２】
また、機械的強度の向上や複数の配置方向での使用の可能性は、モジュールの電気絶縁品質を損なって達成されてはならない。このようなモジュールは、電磁場から保護されながら、高電圧でも使用し続けることができなければならない。
【００３３】
最後に、本発明の別の目的は、有利には、電気エネルギー蓄電要素の冷却が適切になされる上述のモジュールを提供することである。
【課題を解決するための手段】
【００３４】
この目的のため、本発明は、電気エネルギー蓄電要素を含む電気エネルギー蓄電モジュールに関する。
【００３５】
本発明によれば、このモジュールは、５つの面を有する蓋部と、該蓋部と組み立てられる底部とを含み、前記電気エネルギー蓄電要素を収容する、板金からなる平行六面体状のケーシングと、前記ケーシングの面の１つに取り付けられた正面部材に配置された少なくとも１つの電子基板と、を備え、前記電気エネルギー蓄電要素は、前記底部から前記電気エネルギー蓄電要素の高さの一部のみにわたって延在する第１の樹脂層、及び、前記蓋部の面の１つから前記電気エネルギー蓄電要素の高さの一部のみにわたって延在する第２の樹脂層によって、前記ケーシング内の所定位置に保持及び固定される。
【００３６】
本発明のこれらの特徴により、下壁、後壁、前壁、又は側壁でモジュールを配置することが可能になる。エネルギー蓄電要素は、樹脂によって保持され、互いの上に重なるおそれがない。
【００３７】
好ましくは、薄い板金を使用することにより、モジュールの総重量を軽くすることができる。樹脂と組み合わせた板金は、エネルギー蓄電要素を適切に保持するのに十分である。
【００３８】
金属（良好な熱伝導体）製のケーシングの使用と組み合わせた樹脂により、外部への電気エネルギー蓄電要素の熱の排出が容易になる。
【００３９】
また、樹脂により、モジュールの密封が強化される。
【００４０】
さらに、ケーシングの外側の正面部材に電子基板が配置されているため、ケーシングの内部にアクセスする必要がなく、ケーシング内のエネルギー蓄電要素の固定が劣化することがない。
【００４１】
本発明の全特徴により、質量、コスト及び密封性に関してモジュールが最適化される。
【００４２】
本発明の別の有利かつ非限定的特徴によると、以下の特徴を単独又は組み合わせで含むことができる。
【００４３】
前記モジュールは、樹脂を前記ケーシングに注入するために前記ケーシングに設けられた２つの開口部と、好ましくは前記２つの開口部用の閉栓プラグと、を備える。
【００４４】
前記２つの開口部は、前記蓋部の前面に形成され、前記２つの開口部のうち一方が前記底部に近接して位置し、他方が前記蓋部の上面に近接して位置する。
【００４５】
前記２つの開口部のうち一方が、前記底部に形成され、他方が前記蓋部の上面に形成される。
【００４６】
前記ケーシングは、液密かつ防塵性である。
【００４７】
前記ケーシングは、厚さ５ｍｍ以下の板金からなる。
【００４８】
前記モジュールは、前記底部及び前記蓋部の間に配置され、かつ、前記底部及び前記蓋部に対して垂直な、好ましくは中央に位置する、スペーサを形成する芯部を備える。
【００４９】
前記樹脂層は、前記電気エネルギー蓄電要素の高さの５％〜２０％、好ましくは５％〜１２％にわたって延在する。
【００５０】
前記ケーシングの壁は、凹凸面を含む。
【００５１】
前記ケーシングは、前記ケーシングの少なくとも１つの面上に、好ましくは該面に溶接された、冷却フィンなどの複数の放熱要素を含む。
【００５２】
前記正面部材は、後部と前部とを含み、前記後部及び前記前部は、前記電子基板を収容する筐体を形成するように組み立てられるための組立手段を有し、前記後部は、電気絶縁材料からなり、前記ケーシングの面の１つへの取り付け手段を有し、前記前部は、導電性材料、特に金属からなる。
【００５３】
前記電気エネルギー蓄電モジュールの正極及び負極を有する出力端子が通過可能な孔が前記正面部材を貫通している。
【００５４】
また、本発明は、上記の電気エネルギー蓄電モジュールを製造する方法であって、接続部材を用いて前記電気エネルギー蓄電要素を対にして組み立てる工程と、電気配線を行い、絶縁体を設置して、絶縁された電力ブロックを形成する工程と、前記電力ブロックを前記ケーシング内に配置する工程と、前記ケーシングの前記底部及び前記蓋部を組み立てる工程と、前記ケーシングの第１の開口部から樹脂を注入して前記第１の樹脂層を形成する工程と、前記樹脂の重合を待つ工程と、前記電気エネルギー蓄電モジュールを反転させる工程と、前記ケーシングの第２の開口部から樹脂を注入して前記第２の樹脂層を形成する工程と、前記電子基板を含む前記正面部材を前記ケーシングに取り付ける工程と、を備える方法にも関する。
【００５５】
本発明の他の特徴及び利点は、これに限定されるものではないが、本発明の実施形態を示す添付の図面を参照して以下の説明から明らかになるであろう。
【図面の簡単な説明】
【００５６】
【図１】従来技術よる電気エネルギー蓄電モジュールを示す斜視図である。
【図２】本発明による電気エネルギー蓄電モジュールの例示的な実施形態を示す分解斜視図である。
【図３】組み立てられた図２のモジュールを示す斜視図である。
【図４】本発明によるモジュールの一部の概略断面図である。
【図５】本発明によるモジュールのケーシングの内部の斜視上面図である。
【図６】本発明によるモジュールの電子基板の格納を可能にする正面部材の分解斜視図である。
【図７】同じモジュールの出力端子の取り付けを示す詳細図である。
【図８】本発明による蓄電モジュールの一部の詳細断面図である。
【図９】本発明による蓄電モジュールの部分断面図である。
【発明を実施するための形態】
【００５７】
以下、本発明の実施形態によるモジュールの一例を、図面を参照して説明する。
【００５８】
図２では、モジュール１は平行六面体状のケーシング２を備え、その内部には複数の電気エネルギー蓄電要素３が収容されていることが分かる。
【００５９】
正面部材５０の内部には少なくとも１つ、好ましくは単一の電子基板４が設けられており、これにより、特に、蓄電要素３、延いてはモジュール１の動作の管理が可能になる。
【００６０】
以下、モジュールを構成する様々な構成要素について、より詳細に説明する。
【００６１】
ケーシング２は、図３に示されるように、５つの面を有する蓋部２１と、底部２２とを備え、蓋部と底部は、内部に電気エネルギー蓄電要素３が収容される筐体を画定するように互いに組み立てられる。
【００６２】
蓋部２１及び底部２２は、好ましくは導電性材料、好ましくはアルミニウム又は鋼などの薄い板金から構成される。その厚さは、好ましくは５ｍｍ未満であり、より好ましくは０．５ｍｍ〜５ｍｍである。板金は、一定の厚さを有することが好ましいが、厚さの異なる領域を有する板金を使用することもできる。
【００６３】
図２、図３、及び図５に示されるように、蓋部２１は、前面２１０、その反対側の後面２１１、上面２１２、及び２つの長手方向側面２１３、２１４の５つの面を有する。
【００６４】
有利には、蓋部２１は、上面２１２に垂直な４つの面を画定するように板金の平面片を切断し、次いで、それらの各縁に沿って異なる面を曲げて溶接することによって得られる。蓋部２１の寸法に応じて、プレス加工することも可能である。
【００６５】
有利には、板金は、図４に良く示されるように、好ましくは曲げ加工の前に、例えばプレス加工によって、凹凸面を有するように成形することができる。換言すれば、板金は、直線状の凸部分２１６と、直線状の凹部分又は窪み２１７とを交互に含むように変形される。
【００６６】
このような構造であれば、重量を増加させることなく、薄板金、延いてはモジュールの機械的補強が可能になる。
【００６７】
有利には、図４及び図５により良く示されているように、好ましくは中央に位置する芯部２１５が、底部２２を蓋部２１の上面２１２に接続する。この中央芯部２１５は、蓋部２１の幅又は長さの少なくとも一部にわたって延在し、好ましくはＣ字形の断面を有する。Ｃ字の枝部は好ましくは溶接によって蓋部２１及び上面２１２に固定される。
【００６８】
この中央芯部２１５は、モジュールの補強材やスチフナとして機能する。蓋部２１内での配置や固定点の位置決めは、特に振動力、衝撃、蓄電要素３の膨張を引き起こす電気力などに関して、所望の機械的保持が最適化されるように選択される。
【００６９】
このような蓋部２１は、従来技術のモジュールの９個の部品に取って代わる。また、最適な質量増加を可能にする。
【００７０】
底部２２は、有利には、その縁部２２１が折り畳まれた、正方形又は長方形の薄い板金から作られる。これにより、蓋部２１の側面２１３、２１４、前面２１０、及び後面２１１を覆う底部を有することが可能になる。
【００７１】
有利には、蓋部２１及び底部２２は、例えばクリッピング又は数本のネジを用いて組み立てられる。
【００７２】
底部２２は、好ましくは、冷却フィンなどの放熱要素２２３（図２参照）が配置される平坦な外面２２２を有する。
【００７３】
有利には、これらの冷却フィン２２３は円形の外形を有し、ケーシング２の内部に配置されたエネルギー蓄電要素３に対して縦に配置される。これらの冷却フィンは、例えば底部２２に溶接される。これにより、冷却フィンが塊材から機械加工によって得られる従来技術のモジュールと比べて、コストを削減することができる。
【００７４】
フィン２２３は、抵抗溶接、摩擦攪拌溶接、打込リベット、又は蝋付けによって接合することもできる。フィン２２３は、熱伝導性接着剤を用いて接着することもでき、これは前述の機械的接続の１つによって仕上げてもよい。
【００７５】
蓋部２１の面に放熱要素を設けることもできることに留意されたい。
【００７６】
図２において、エネルギー蓄電要素３は、一般に直列接続で、接続部材３０（図８にのみ示される）により、２つずつ連続して相互接続される。直列接続の２つの端部に位置する２つのエネルギー蓄電要素３は、適切な形状の接続部材によってそれぞれモジュールの正の出力端子と負の出力端子に接続される。これら２つの出力端子は符号３１で示される。
【００７７】
これらの出力端子３１により、エネルギーが供給される装置にモジュール１を接続することが可能になる。
【００７８】
正面部材５０は、特にメンテナンス作業を行う場合に、電子基板４にアクセスできるように容易に取り外し可能である。ケーシング２の外側に電子基板４が配置されるため、先行技術の公知の装置の場合のようにケーシングを取り外す必要がないので、アクセスが簡単になる。
【００７９】
図２、図３、図６、及び図７に示す変形例では、電子基板４を含む正面部材５０がケーシング２の前面２１０に取り付けられている。しかしながら、正面部材５０を、例えば、側面２１３、２１４のうちの１つに対して配置してもよい。
【００８０】
図６でより明らかであるように、正面部材５０は、電子基板４を収容する筐体を画定するように組み立てられた後部５１及び前部５２を含む。
【００８１】
後部５１は略平行六面体形状を有し、好ましくは外周縁部５１２を有する。後部はプラスチック材料のような電気絶縁材料からなる。これは電子基板４とケーシング２との間のインターフェースの役割を果たす。これは、特に、異なる電圧ネットワーク（高電圧、低電圧、及び接地）の電気絶縁に寄与する。また、電子基板４をエネルギー蓄電要素３から物理的に分離することもできる。
【００８２】
有利には、後部５１は、ケーシングの面の１つ、好ましくは前面２１０に一体化されたクリッピング手段などの取り付け手段である。このような手段は図面には示されていない。
【００８３】
また、後部５１は、モジュール１の内部から通る電気接続部と電子基板４との間の接続を確保する接続部（「バックプレーンコネクタ」として知られる）と一体的に形成することができる。
【００８４】
有利には、図７に示されるように、後部５１を用いてモジュール１の出力端子３１又は「電力端子」を保持することができる。この目的のため、端子３１が通る中心孔５１０と、取り付けネジが通る複数の孔５１１が後部５１に設けられる。これにより、出力端子３１は、後部５１と前面２１０との間に保持される。
【００８５】
前部５２は、好ましくは、金属、好ましくはアルミニウム又は鋼などの導電性材料からなる。好ましくは、蓋部２１と底部２２を形成するのに使用されるのものと同じ板金が使用される。
【００８６】
前部５２は、後部５１と同様の形状を有する。
【００８７】
前部５２は、例えばネジ５３を用いて、任意の適切な取り付け手段によって後部５１に組み立てることができるように構成されている。
【００８８】
前部５２により、電子基板４を衝撃や電磁気電流から保護することができる。また、モジュールの液密性及び気密性にも寄与する。
【００８９】
このように、上述した構造では、モジュール１は２つの主要な接合面、１つは蓋部２１と底部２２との間の外周に、もう１つは正面部材５０と正面部材が付けられるモジュールの面との間に接合面を有する。１つ目の場合、単一面にシールを設けることができる。２つ目の場合、後部５１と前面２１０との間にシール５４を設けることができる（図６参照）。これにより、両方の場合において、シールの構造及びその実施を簡易化することができる。したがって、モジュールの密封性が向上し、剛健性と信頼性が向上する。
【００９０】
本発明によると、蓄電要素３は、図８及び図９に示すように、その高さの一部のみにわたって延在する樹脂層７により、ケーシング２の内部の所定位置に保持及び固定されている。
【００９１】
この図からわかるように、樹脂７は、２つの隣接するエネルギー蓄電要素３の間、並びに、これらのエネルギー蓄電要素３と蓋部２１及び／又は底部２２との間に存在する空間を充填する。
【００９２】
このような樹脂７により、特に、モジュールの縦軸ｘ及び横軸ｙ（図３参照）に沿ってエネルギー蓄電要素３を固定することができる。垂直軸ｚに沿った固定は、例えば、底部２２と接触しているのとは反対側のエネルギー蓄電要素３の垂直方向端部に配置される発泡体を用いて実施することができる。これについては、仏国特許出願公開第２９１６３０６号明細書を参照されたい。
【００９３】
本発明によると、第１の樹脂層７は、底部２２から、エネルギー蓄電要素３の高さの一部、好ましくは高さの５％〜２０％、より好ましくは５％〜１２％にわたって形成される。第２の樹脂層７は、蓋部２１の上面２１２から、エネルギー蓄電要素３の高さの一部のみ、例えば高さの５％〜２０％、好ましくは５％〜１２％にわたって形成される。
【００９４】
好ましくは、電気エネルギー蓄電要素３は、上述の第１及び第２の樹脂層７のみによって保持される。すなわち、蓄電要素３の中央部分に樹脂層が存在しない。
【００９５】
好ましくは、樹脂７は、以下の特性の少なくとも１つを有するように選択される。
・蓄電要素３から発生した熱をケーシング２に伝達するように、良好な熱伝導率を有する。
・モジュールの重荷にならないように、可能な限り小さな密度を有する。
・機械的な力（振動、衝撃など）や熱制約の下で完全性を保持するのに十分な柔軟性を有する。
・この種のモジュールに適用される規格に準じた非可燃性、不透明性を有し、有毒な煙を放出しない。
・モジュールの絶縁システムを劣化させない程度に十分な電気絶縁性を有する。
・アルミニウムがケーシング２に使用される場合、アルミニウムと良好な密着性を有する。
【００９６】
好ましくは、樹脂はポリウレタン又はシリコーン樹脂である。
【００９７】
このような樹脂であれば、大きな幾何公差を許容しながら、蓄電要素３を固定することができる。
【００９８】
また、これにより、底部２２と蓋部２１との間の接続が強化され、ケーシングの機械的保持に必要なネジの数を制限できる。
【００９９】
また、モジュールの質量の効果によりモジュールの冷却特性を向上できる。
【０１００】
また、この樹脂はケーシングの２つの構成要素の間の密封にも関与する。縁部２２１を有する底部２２は、重合前の樹脂７の保持トレイとしても機能する。
【０１０１】
最後に、この樹脂７は安価である。
【０１０２】
本発明によると、図２〜図９に示されるように、蓄電モジュール１を構成する異なる構成要素は、以下のように組み立てられる。
【０１０３】
異なる電気エネルギー蓄電要素３は、電力ブロック３２、すなわち、これら蓄電要素３のアセンブリを形成するように、接続部材３０を用いて２つずつ組み立てられる。
【０１０４】
次に、直列アセンブリの端部に位置する電気エネルギー蓄電要素３が電子基板４に接続されるように、この電力ブロック３２の電気配線が行われる。
【０１０５】
次に、電気エネルギー蓄電要素３の異なる電気絶縁体３３、３４が設置される。これは、例えば、蓄電要素３の両端に配置される、電気絶縁性のエラストマー３３の層と、ポリプロピレン（ＰＰ）製のカップ３４とを含む（図８及び図９参照）。
【０１０６】
次に、考慮する実施形態において冷却フィン２２３が設けられている場合、符号３２で示される電力ブロックは、冷却フィン２２３が既に設けられた板金底部２２上に配置される。
【０１０７】
次に、蓋部２１が底部２２上に配置され、これら２つの構成要素が電力ブロックを囲むように組み立てられる。
【０１０８】
これら両者間にシールを挿入してもよい。
【０１０９】
次に、ケーシング２の、例えば前面２１０の底部２２寄りに設けられた開口部２１８（図２）を介して、第１の樹脂層７が形成される。樹脂は、必要な時間をおいて重合させることができる。この時間は、例えば最低２４時間であり、使用される樹脂の種類に依存する。
【０１１０】
次に、底部２２が上向きになるようにモジュール１を反転させ、その後、例えば前面２１０の上面２１２寄りに設けられた開口部２１９（図２）を介して、第２の樹脂層７が形成される。
【０１１１】
開口部２１８、２１９は、モジュールの内部と電子基板４を接続する電気ケーブルが通るのにも役立つ。
【０１１２】
次いで、第１の層７と同様に、樹脂の重合の完了を待つ。
【０１１３】
図示されていない別の変形例によると、カップ３４を排除し、樹脂７を接続部材３０及びエラストマー３３の層と接触させてもよい。
【０１１４】
次に、図に示すように、正面部材５０の後部５１がケーシング２の壁の１つ、例えば前面２１０に取り付けられる。この取り付けは、好ましくは、両者の間にシール（ガスケット）を挿入することによって達成される。
【０１１５】
これにより、開口部２１８、２１９を塞ぐこともできる。開口部２１８、２１９を塞ぐために閉栓プラグを設けることもできる。
【０１１６】
次いで、電子基板４が設置され、電力ブロック３２と電気的に接続される。また、出力端子３１が孔５１０を介して取り付けられる。
【０１１７】
正面部材５０の前部５２が後部５１に取り付けられ、両者の間にシールが施される。
【０１１８】
このように、このモジュールの設置は非常に簡素化されている。
【０１１９】
変形例によると、樹脂７を注入するために、底部２２又は蓋部２１の上面２１２のいずれかに一方に、１つ又は複数の孔もしくは開口を設けることもできる。この場合、この（又はこれらの）開口に閉栓プラグを設ける必要がある。
【図１】
2019501477.tif 000003
【図２】
2019501477.tif 000004
【図３】
2019501477.tif 000005
【図４】
2019501477.tif 000006
【図５】
2019501477.tif 000007
【図６】
2019501477.tif 000008
【図７】
2019501477.tif 000009
【図８】
2019501477.tif 000010
【図９】
2019501477.tif 000011
【国際調査報告】
2019501477.tif 000012
2019501477.tif 000013
2019501477.tif 000014
2019501477.tif 000015
2019501477.tif 000016
2019501477.tif 000017